(57)【要約】【課題】ＬＥＤ電球を商用電源に接続して使用する際のノイズの影響を低減する。【解決手段】このＬＥＤ電球用アダプタ１０は、ＬＥＤ電球１００と電球用ソケット９０との間に挿入されて用いられる。電球用ソケット９０は、例えば一般家庭の住宅の天井２００中に埋め込まれており、商用のＡＣ１００Ｖの電源ケーブル３００が接続されている。この電球用ソケット９０に、ＬＥＤ電球用アダプタ１０、ＬＥＤ電球１００が接続され、ＬＥＤ電球１００を発光させることができる。このＬＥＤ電球用アダプタ１０の内部において、アダプタネジ部、アダプタ凹部中心電極と、それぞれアダプタ口金、アダプタ中心電極とを接続する配線の経路中において、ＬＥＤ電球１００が発する高周波のノイズを除去するノイズフィルタが設けられている。【選択図】図１
2013058342.tif 000002
【特許請求の範囲】
【請求項１】
交流電源をＬＥＤ電球に供給するＬＥＤ電球通電用機器であって、
前記交流電源と前記ＬＥＤ電球における電極との間が配線によって接続される構成を具備し、
前記配線の経路中にノイズフィルタが設けられたことを特徴とするＬＥＤ電球通電用機器。
【請求項２】
前記ノイズフィルタは、トロイダル形状のフェライトコアに前記配線の一部が巻回されて構成されたことを特徴とする請求項１に記載のＬＥＤ電球通電用機器。
【請求項３】
複数の前記ノイズフィルタを具備し、
前記トロイダル形状の中心軸を共通にして複数の前記ノイズフィルタが積層された構成を内部に具備することを特徴とする請求項２に記載のＬＥＤ電球通電用機器。
【請求項４】
２本の前記配線、２つの前記ノイズフィルタをそれぞれ具備し、
２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、
２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、
ことを特徴とする請求項２又は３に記載のＬＥＤ電球通電用機器。
【請求項５】
前記ノイズフィルタは、周波数が９０ＭＨｚ〜２９０ＭＨｚの範囲の周波数成分の高周波を低減させることを特徴とする請求項１から請求項４までのいずれか１項に記載のＬＥＤ電球通電用機器。
【請求項６】
前記交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記交流電源と前記ＬＥＤ電球における電極との間が前記配線によって接続される構成を具備するＬＥＤ電球用アダプタであることを特徴とする請求項１から請求項５までのいずれか１項に記載のＬＥＤ電球通電用機器。
【請求項７】
前記一端と前記ＬＥＤ電球、及び前記他端と前記電球用ソケットとの間は、それぞれ螺合によって接続される構成を具備することを特徴とする請求項６に記載のＬＥＤ電球通電用機器。
【請求項８】
家屋に設置され、前記交流電源が接続された前記配線を内部に具備する電球用ソケットであることを特徴とする請求項１から請求項５までのいずれか１項に記載のＬＥＤ電球通電用機器。
【発明の詳細な説明】
【技術分野】
【０００１】
本発明は、ＬＥＤ電球を商用交流電源に接続するためのＬＥＤ電球通電用機器、例えば電球用ソケット、アダプタ、の構成に関する。
【背景技術】
【０００２】
白熱電球は、その照度の高さや経済性から、一般家庭の照明用として従来より広く用いられている。しかしながら、近年、その消費電力が大きいことが問題になっている。このため、白熱電球に代えて、消費電力が小さく、白熱電球と同等の照度を得ることが可能なＬＥＤ（Ｌｉｇｈｔ  Ｅｍｉｔｔｉｎｇ  Ｄｉｏｄｅ）素子を光源として用いたＬＥＤ電球を用いることが近年行われている。
【０００３】
白熱電球は、真空中に封入されたフィラメントが発光源となるのに対して、ＬＥＤ電球においては、化合物半導体のｐｎ接合を使用したダイオード（ＬＥＤ素子）が発光源となるため、その構成は白熱電球とは大きく異なる。ＬＥＤ電球の構成は、例えば特許文献１や非特許文献１等に記載されている。まず、白熱電球におけるフィラメントと比較して、ＬＥＤ電球におけるＬＥＤにおいては、発光の指向性が高い。このため、照明用の拡散光源として用いられる白熱電球の代替をするためには、複数のＬＥＤ素子が全体として発散光を発するように適宜配置される。
【０００４】
また、白熱電球は、フィラメントに電流が流されるという単純な構成をもち、単純な抵抗体であるフィラメントが発光源となる。ここで、フィラメントに流される電流としては、商用のＡＣ１００Ｖによる交流電流をそのまま用いることができる。これに対して、ＬＥＤ電球の発光源となるＬＥＤ素子は化合物半導体のｐｎ接合を使用したダイオードであり、これに順バイアスの電流が流された場合の発光が利用される。このため、ＬＥＤ素子に直接印加される電圧は直流であることが必要であり、また、その電圧は高々数Ｖ程度であり、商用電源の１００Ｖよりも低い。
【０００５】
ただし、一般家庭でＬＥＤ電球のために専用の直流電源を設けることは望ましくなく、従来から使用されている白熱電球をそのままＬＥＤ電球に置換できる構成とすることが好ましい。このため、例えば非特許文献１、特許文献１に記載されるように、一般には、ＬＥＤ電球の内部に、商用のＡＣ１００Ｖを直流の低電圧に変換する小型の電源回路がＬＥＤ素子と共に内部に設けられている。これにより、ＡＣ１００Ｖの商用電源に接続された電球用ソケットにそのまま接続して使用することのできるＬＥＤ電球が得られる。
【０００６】
非特許文献１に記載されるように、こうした技術を用いて、消費電力が６０Ｗ程度の白熱電球と同等の照度、かつ８．７Ｗ程度の低い消費電力をもつＬＥＤ電球を得ることができる。
【０００７】
また、消費電力は小さくなるものの、ＬＥＤ電球においても、その放熱性を高めることは、ＬＥＤ電球の長寿命化や安全性の観点から重要である。このため、特許文献２には、電球用ソケットとＬＥＤ電球との間に接続することにより、ＬＥＤ電球の放熱性を高めることのできるアダプタが記載されている。
【０００８】
こうした技術が用いられたＬＥＤ電球を白熱電球の代わりに用いることができる。
【先行技術文献】
【非特許文献】
【０００９】
【非特許文献１】大沢滋、泉昌裕、坂本しずか、東芝レビュー、第６５巻第７号、８頁（２０１０年）
【特許文献】
【００１０】
【特許文献１】特開２０１０−３３８６３号公報
【特許文献２】特開２００７−１５７６０３号公報
【発明の概要】
【発明が解決しようとする課題】
【００１１】
しかしながら、一般に、ＬＥＤ電球内部に設けられた電源回路においては、電圧の変換のために、商用電源における５０Ｈｚ等よりも高い、ＭＨｚ以上の高周波が用いられている場合が多い。このため、この高周波に起因する、例えばＶＨＦ帯（９０ＭＨｚ〜２９０ＭＨｚ）のノイズがこの電源回路から発生する。このノイズは、ＬＥＤ電球が接続された家庭内の電源ケーブルを伝搬し、各種の電子機器の誤動作の原因となる。また、電源ケーブルはこのノイズを発振するアンテナとしても機能するため、電源ケーブルに直接接続されない機器に対しても悪影響を与えることがある。
【００１２】
近年、テレビジョン放送において、ＵＨＦ帯を用いた地上デジタル放送が用いられる代わりに、ＶＨＦ帯を利用した地上アナログ放送が廃止された。このため、今後は、テレビジョン放送で使用されないＶＨＦ帯において各種の電子機器や通信機器、例えばマルチメディア通信用の機器等が使用されることが意図されている。上記のノイズは、こうした使用の際の大きな障害となることは明らかである。
【００１３】
すなわち、ＬＥＤ電球を商用電源に接続して使用する際のノイズの影響を低減することは困難であった。
【００１４】
本発明は、かかる問題点に鑑みてなされたものであり、上記問題点を解決する発明を提供することを目的とする。
【課題を解決するための手段】
【００１５】
本発明は、上記課題を解決すべく、以下に掲げる構成とした。
本発明のＬＥＤ電球通電用機器は、交流電源をＬＥＤ電球に供給するＬＥＤ電球通電用機器であって、前記交流電源と前記ＬＥＤ電球における電極との間が配線によって接続される構成を具備し、前記配線の経路中にノイズフィルタが設けられたことを特徴とする。
本発明のＬＥＤ電球通電用機器において、前記ノイズフィルタは、トロイダル形状のフェライトコアに前記配線の一部が巻回されて構成されたことを特徴とする。
本発明のＬＥＤ電球通電用機器は、複数の前記ノイズフィルタを具備し、前記トロイダル形状の中心軸を共通にして複数の前記ノイズフィルタが積層された構成を内部に具備することを特徴とする。
本発明のＬＥＤ電球通電用機器は、２本の前記配線、２つの前記ノイズフィルタをそれぞれ具備し、２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、ことを特徴とする。
本発明のＬＥＤ電球通電用機器において、前記ノイズフィルタは、周波数が９０ＭＨｚ〜２９０ＭＨｚの範囲の周波数成分の高周波を低減させることを特徴とする。
本発明のＬＥＤ電球通電用機器は、前記交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記交流電源と前記ＬＥＤ電球における電極との間が前記配線によって接続される構成を具備するＬＥＤ電球用アダプタであることを特徴とする。
本発明のＬＥＤ電球通電用機器において、前記一端と前記ＬＥＤ電球、及び前記他端と前記電球用ソケットとの間は、それぞれ螺合によって接続される構成を具備することを特徴とする。
本発明のＬＥＤ電球通電用機器は、家屋に設置され、前記交流電源が接続された前記配線を内部に具備する電球用ソケットであることを特徴とする。
【発明の効果】
【００１６】
本発明は以上のように構成されているので、ＬＥＤ電球を商用電源に接続して使用する際のノイズの影響を低減することができる。
【図面の簡単な説明】
【００１７】
【図１】本発明の実施の形態に係るＬＥＤ電球用アダプタの使用の態様を示す構成図である。
【図２】一般的なＬＥＤ電球、電球用ソケットの構成を示す図である。
【図３】本発明の実施の形態に係るＬＥＤ電球用アダプタの構成を示す図である。
【図４】フェライトコアを用いたノイズフィルタの構成を示す図である。
【図５】本発明の実施の形態に係るＬＥＤ電球用アダプタ中におけるノイズフィルタの配置構成を示す図である。
【図６】本発明の実施の形態に係る電球用ソケットの構成及び使用の態様を示す図である。
【図７】本発明の実施の形態に係るＬＥＤ電球用アダプタ中によるノイズ低減効果を実測した結果である。
【発明を実施するための形態】
【００１８】
以下、本発明の実施の形態となるＬＥＤ電球通電用機器について説明する。このＬＥＤ電球通電用機器は、商用交流電源をＬＥＤ電球（ＬＥＤ素子が光源として用いられ、白熱電球を置換して使用することのできる電球）に供給するために用いられる。このＬＥＤ電球通電用機器としては、例えば、家屋に設置され商用交流電源が接続された状態でＬＥＤ電球が接続されて用いられる電球用ソケット、あるいは、この電球用ソケットとＬＥＤ電球との間に挿入させて用いられるＬＥＤ電球用アダプタ、の２種類がある。ここでは、まず、電球用ソケットとＬＥＤ電球との間に挿入されて用いられるＬＥＤ電球用アダプタにつき説明する。このＬＥＤ電球用アダプタは、商用交流電源（ＡＣ１００Ｖ）に接続された電球用ソケットとＬＥＤ電球の間に挿入されて設置される。図１（ａ）（ｂ）は、このＬＥＤ電球用アダプタの使用時の態様を示す図である。また、図２において、（ａ）はＬＥＤ電球１００の構成、（ｂ）は電球用ソケット９０の構成を示す。図３は、本発明の実施の形態となるＬＥＤ電球用アダプタ１０の構成を示す。
【００１９】
図１（ａ）に示されるように、このＬＥＤ電球用アダプタ１０は、ＬＥＤ電球１００と電球用ソケット９０との間に挿入されて用いられる。電球用ソケット９０は、例えば家屋の天井２００中に埋め込まれており、商用のＡＣ１００Ｖの電源ケーブル３００が接続されている。この電球用ソケット９０に、ＬＥＤ電球用アダプタ１０、ＬＥＤ電球１００が接続され、ＬＥＤ電球１００を発光させることができる。ＬＥＤ電球用アダプタ１０を用いないＬＥＤ電球１０の従来の使用方法においては、ＬＥＤ電球１０は電球用ソケット９０と直接接続される。
【００２０】
図２（ａ）に示されるように、ＬＥＤ電球１００においては、ネジ状の口金１０１と、これと絶縁された中心電極１０２がそれぞれ略球体状の発光部１０３と一体化されて設けられている。口金１０１と中心電極１０２が商用電源の２本の電源ケーブル３００と電気的に接続されることにより、発光部１０３中の発光素子（ＬＥＤ素子）に電源が供給され、発光する。
【００２１】
一方、図２（ｂ）に示されるように、電球用ソケット９０においては、ＬＥＤ電球１００を接合させることのできる略円筒形状のソケット凹部９１が設けられており、このソケット凹部９１の内部側面においては、ＬＥＤ電球１００の接合時に口金１０１と螺合する金属製のソケットネジ部９２が設けられている。また、このソケット凹部９１の底面（図２（ｂ）における上面）には、ソケットネジ部９２と口金１０１との螺合時においてＬＥＤ電球１００の中心電極１０２と接するソケット中心電極９３が設けられている。ソケットネジ部９２、ソケット中心電極９３は、図１においてそれぞれ異なる電源ケーブル３００に接続される。
【００２２】
ＬＥＤ電球１００における口金１０１、中心電極１０２、電球用ソケット９０におけるソケットネジ部９２、ソケット中心電極９３の構成は、例えばＪＩＳＣ７７０９−０に規定されるように、エジソンベースのソケットとして規格化されている。この構成はＬＥＤ電球１００に限らず、白熱電球の場合においても同様である。このため、白熱電球をこのＬＥＤ電球１００で置換することは容易である。
【００２３】
図１に示されるように、このＬＥＤ電球用アダプタ１０は、ＬＥＤ電球１００と電球用ソケット９０の間に挿入される。このため、図３に示されるように、このＬＥＤ電球用アダプタ１０においては、その一端（図３中の下側端）側には、電球用ソケット９０におけるソケット凹部９１と同様の構成が形成されている。すなわち、ＬＥＤ電球１００が接合されるアダプタ凹部１１が設けられ、アダプタ凹部１１の内部側面には、ＬＥＤ電球１００との接合時にＬＥＤ電球１００の口金１０１と螺合する金属製のアダプタネジ部１２が設けられている。また、この螺合時にＬＥＤ電球１００の中心電極１０２と接するアダプタ凹部中心電極１３が、アダプタ凹部１１の底面（図３中の上面）に設けられている。この構成により、このＬＥＤ電球用アダプタ１０の一端側においてＬＥＤ電球１００の口金１０１とアダプタ凹部１１中のアダプタネジ部１２とを螺合させることができる。これにより、ＬＥＤ電球１００をこのＬＥＤ電球用アダプタ１０におけるアダプタ凹部１１に接合させることができる。
【００２４】
また、ＬＥＤ電球用アダプタ１０における他端（図３中の上側端）側には、ＬＥＤ電球１００における口金１０１と同様の金属製のアダプタ口金１４、ＬＥＤ電球１００における中心電極１０２と同様のアダプタ中心電極１５がそれぞれ設けられている。この構成により、ＬＥＤ電球１００を電球用ソケット９０に接続する場合と同様にして、このＬＥＤ電球用アダプタ１０を電球用ソケット９０に接続することができる。すなわち、電球用ソケット９０のソケット凹部９１において、このＬＥＤ電球用アダプタ１０のアダプタ口金１４を電球用ソケット９０のソケットネジ部９２に螺合させることができる。これにより、このＬＥＤ電球用アダプタ１０を電球用ソケット９０のソケット凹部９１に接合することができる。
【００２５】
また、ＬＥＤ電球用アダプタ１０は、アダプタ凹部１１やネジ状のアダプタ口金１４に対応した略円筒形状をなしている。
【００２６】
ＬＥＤ電球用アダプタ１０の内部では、アダプタネジ部１２、アダプタ凹部中心電極１３は、それぞれアダプタ口金１４、アダプタ中心電極１５と、それぞれ配線によって接続されている。ただし、接続される組み合わせはこの逆であってもよい。この構成により、ＬＥＤ電球１００において電源を供給するために用いられる口金１０１、中心電極１０２は、アダプタ口金１４、アダプタ中心電極１５と電気的に接続される。アダプタ口金１４、アダプタ中心電極１５は、ソケットネジ部９２、ソケット中心電極９３とそれぞれ電気的に接続される。このため、電球用ソケット９０からＬＥＤ電球用アダプタ１０を介してＬＥＤ電球１００に電源（商用交流電源）を接続することができ、ＬＥＤ電球１００を発光させることができる。
【００２７】
ここで、ＬＥＤ電球１００の構成は、例えば特許文献１、２、非特許文献１に記載されているものと同様である。すなわち、発光部１０３中においては、化合物半導体で構成された多数のＬＥＤ素子と、交流１００ＶをＬＥＤ素子を駆動する低電圧の直流電圧に変換する電源回路とが、ガラス管中に内蔵されている。この電源回路においては、商用電源（５０Ｈｚ等）と比べて高い、ＭＨｚ程度の高周波が用いられるため、ＶＨＦ帯の周波数成分をもつノイズの発生源となる。このノイズは、例えば、ＬＥＤ電球１００と電気的に接続された電源ケーブル３００等を伝搬し、これに接続された他の家庭内の各種の電気機器、通信機器の動作に悪影響を与える。また、電源ケーブル３００はこのノイズを発振するアンテナとしても機能するため、電源ケーブル３００に直接接続されない機器に対しても悪影響を与える。
【００２８】
このため、このＬＥＤ電球用アダプタ１０の内部において、アダプタネジ部１２、アダプタ凹部中心電極１３と、それぞれアダプタ口金１４、アダプタ中心電極１５とを接続する配線の経路中において、ＬＥＤ電球１００が発する高周波のノイズを除去するノイズフィルタが設けられている。これにより、このノイズの伝搬を抑制することができる。すなわち、ＬＥＤ電球１００が発するノイズの影響を抑制することができる。
【００２９】
以下に、ここで用いられるノイズフィルタの具体的構成について説明する。ノイズフィルタとしては、例えば５０Ｈｚよりも充分高い周波数（ＶＨＦ帯）のものを除去するローパスフィルタを適宜用いることができる。以下に説明するような、フェライトコアを用いたノイズフィルタを好適に用いることができる。
【００３０】
フェライトコアを用いたノイズフィルタの構成は、例えば、特開２００２−３４３６２０号公報に記載されている。このノイズフィルタにおいては、高透磁率をもつ材料で構成された材料（フェライト）で構成されたトロイダル形状のフェライトコアに配線が巻回され、そのインダクタンス成分によって高周波ノイズを除去することができる。
【００３１】
ここで、このＬＥＤ電球用アダプタ１０内では、２本の電源ケーブル３００にそれぞれ対応した２本の配線が用いられる。この２本の配線とフェライトコアとの関係を、図４（ａ）（ｂ）に示す２種類の設定とすることができる。図４において、（ａ）の構成はノイズフィルタ４１、（ｂ）の構成はノイズフィルタ４２となる。図４（ａ）（ｂ）は、それぞれノイズフィルタ４１、ノイズフィルタ４２を、前記のトロイダル形状の中心軸に沿った方向から見た構成を簡略化して示した上面図である。
【００３２】
どちらにおいても、トロイダル形状のフェライトコア５０の上面図における上半分に対して一方の配線６１が、下半分に対して他方の配線６２が巻回されている。ここで、（ａ）における配線６１の巻回方向と（ｂ）における巻回方向は同じ（右回り）であるが、配線６２の巻回方向は（ａ）と（ｂ）で逆となっている（ａ：右回り、ｂ：左回り）。すなわち、ノイズフィルタ４１においては配線６１と配線６２がフェライトコア５０を巻回する方向は同じであるのに対し、ノイズフィルタ４２においては配線６１と配線６２がフェライトコア５０を巻回する方向は逆向きとなっている。なお、図４は実際の構成を簡略化して示した図であり、各配線の巻き数は実際にはこれよりも多く、設定されるインダクタンスに応じて適宜設定される。
【００３３】
図４（ａ）の設定のノイズフィルタ４１においては、配線６１、６２に示した黒矢印のように、端子Ａ１側から端子Ｂ１側に配線６１を介してＬＥＤ電球１００を駆動するための駆動電流が流れ、端子Ｂ１からＬＥＤ電球１００側にこの電流が流れるものとする。この電流は、ＬＥＤ電球１００から端子Ｂ２に戻り、配線６２を介して端子Ａ１側に戻る。ＬＥＤ電球１００が発するノイズとして、この駆動電流と同じ向きに流れるノイズ（ノーマルモードノイズ）が存在する。この電流が図４（ａ）の構成中を流れるに際しては、フェライトコア５０中で、図４（ａ）中の破線矢印で示す方向に磁界が発生する。すなわち、配線６１によってフェライトコア５０において上半分で発生する磁界と、配線６２によってフェライトコア５０において下半分で発生する磁界の向きとは等しくなる。このため、この場合におけるインダクタンスは大きくなり、このインダクタンスによって得られる高周波に対するフィルタ効果は大きくなる。すなわち、ノイズフィルタ４１は、ノーマルモードノイズに対するフィルタとして機能する。なお、駆動電流はＶＨＦ帯よりも充分低い周波数（５０Ｈｚ等）をもつため、この構成が駆動電流に与える影響は無視できる。
【００３４】
一方、ＬＥＤ電球１００が発するノイズとして、上記のノーマルモードのノイズの他に、配線６１と６２を平行に同じ向きに流れるノイズ（コモンモードノイズ）も存在する。このコモンモードノイズは、配線６１と６２を同じ向き（図中の黒矢印）に流れ、最終的には接地電位に向かって流れることによって伝搬する。図４（ｂ）の構成のノイズフィルタ４２においては、このコモンモードノイズが存在する場合に、配線６１によってフェライトコア５０において発生する磁界と配線６２によってフェライトコア５０において発生する磁界の向きが等しくなる。すなわち、コモンモードノイズに対するインダクタンスを大きくすることができる。このため、ノイズフィルタ４２は、コモンモードノイズに対するフィルタとして機能する。
【００３５】
図４の構成のフィルタ４１、４２は、ＬＥＤ電球用アダプタ１０中において特に好ましく用いられる。図５左側は、この際の構成を示す図である。略円筒形状のＬＥＤ電球用アダプタ１０においては、トロイダル形状のノイズフィルタ４１、４２を、それぞれにおけるフェライトコア５０の中心軸と、略円筒形状のＬＥＤ電球用アダプタ１０の中心軸とが共通となるように積層することによって、容易に搭載することができる。また、図５右側は、この場合における配線の接続を示す図である。ここでは、ノイズフィルタ４１とノイズフィルタ４２とが直列に接続されている。端子Ｃ１、Ｃ２は、アダプタ口金１４、アダプタ中心電極１５と接続されることによって、使用時には電源ケーブル３００と接続される。また、端子Ｄ１、Ｄ２は、アダプタネジ部１２、アダプタ凹部中心電極１３と接続されることによって、使用時にはＬＥＤ電球１００側と接続される。
【００３６】
このＬＥＤ電球用アダプタ１０を用いて、ＬＥＤ電球１００に起因するノーマルモードノイズ、コモンモードノイズの両方を除去することができる。これにより、ＬＥＤ電球１００を商用の交流電源に接続して使用する際のノイズの影響を低減することができる。更に、ノイズフィルタ４１、４２は、その構成が単純であるため、低コストであり、かつ機械的に破損する可能性も低い。
【００３７】
特に問題となるノイズがノーマルモード、コモンモードのどちらであるかにより、ノイズフィルタ４１、４２のどちらかのみを使用する構成としてもよい。あるいは、これらのうちのどちらかを直列接続して複数積層してもよい。この構成は、使用されるＬＥＤ電球１００の特性によって適宜設定することができる。いずれの場合においても、略円筒形状のＬＥＤ電球用アダプタ１０中において、トロイダル形状のノイズフィルタを、中心軸が共通となる形態で複数積層させて内蔵することは容易である。
【００３８】
また、ＬＥＤ電球１００が発する高周波ノイズの特性（スペクトル等）は、主に使用される電源回路の仕様によって定まり、例えばメーカーによって大きく異なる。これに対して、上記の構成のＬＥＤ電球用アダプタ１０によれば、ＬＥＤ電球１００の種類に関わらず、高周波ノイズを抑制することができる。
【００３９】
上記のＬＥＤ電球用アダプタ１０（あるいはノイズフィルタ）を用いず、その代わりに、ＬＥＤ電球の内部に同様のノイズフィルタを設けることにより、ノイズを低減することも可能である。しかしながら、この場合には、ＬＥＤ電球が高コストとなることは避けられない。また、ＬＥＤ電球の寿命は白熱電球と比べて長くすることが可能ではあるものの、ＬＥＤ素子の寿命や電源回路の寿命によってＬＥＤ電球の寿命は定まり、ＬＥＤ電球を半永久的に使用することは困難である。また、ＬＥＤ電球が機械的に破損することもある。こうした場合に、ＬＥＤ電球の内部に同様のノイズフィルタを搭載した場合には、このノイズフィルタを含むＬＥＤ電球をそのまま交換することが必要となる。
【００４０】
これに対して、上記のＬＥＤ電球用アダプタ１０及びその内部のノイズフィルタは、半永久的に使用することが可能である。また、図１の構成で使用される場合には、ＬＥＤ電球用アダプタ１０が機械的に破損する可能性は、少なくともＬＥＤ電球１００よりも低い。このため、上記のＬＥＤ電球用アダプタ１０を用いることにより、ＬＥＤ電球１００が発するノイズの影響を低コストで抑制することができる。特に、図１に示されるようなＬＥＤ電球１００と電球用ソケット９０とを用いた全体の構成を低コストとすることができる。
【００４１】
なお、上記の例では、本発明の実施の形態に係るＬＥＤ電球通電用機器としてＬＥＤ電球用アダプタについて記載したが、同様の構成を電球用ソケットに設けることも可能である。この場合には、図６に示されるような、ノイズフィルタ４１、４２が図５におけるＬＥＤ電球用アダプタ１０と同様に組み込まれた電球用ソケット１９０が構成される。この電球用ソケット１９０を使用する場合には、ＬＥＤ電球用アダプタは不要であり、ＬＥＤ電球１００を直接電球用ソケット１９０に接続して使用することができる。
【００４２】
この場合には、従来白熱電球用に用いられていた電球用ソケットをこの電球用ソケット１９０に交換することが必要になる。しかしながら、この交換後には半永久的にこの電球用ソケット１９０を使用することができる。また、仮にＬＥＤ電球１００の代わりに従来の白熱電球を使用する場合でも、ノイズフィルタ４１、４２等は白熱電球の駆動電流に対して悪影響を与えないため、この電球用ソケット１９０をそのまま使用することができる。
【００４３】
（実施例）
実際に、上記のＬＥＤ電球用アダプタを製造し、これをＬＥＤ電球と電球用ソケットとの間に挿入した場合と、電球用ソケットとＬＥＤ電球とを直接接続した場合におけるノイズを測定した。ここで、ＬＥＤ電球としては、日本製の消費電力８．７Ｗのもの（白熱電球の６０Ｗ相当品）を、ＬＥＤ電球用アダプタ中に内蔵したノイズフィルタとしては、図５に示された構成のもの（ノイズフィルタ４１、４２の直列）を用いた。ノイズ測定は、ノイズ測定に関する国際規格であるＣＩＳＰＲ規格に準拠して測定した。
【００４４】
図７は、この実測データを示す。上記のＬＥＤ電球用アダプタを用いることにより、特に問題となるＶＨＦ帯（９０ＭＨｚ〜２９０ＭＨｚ）におけるノイズを低減させることが確認できた。
【００４５】
なお、上記の例では、トロイダル形状のフェライトコアを用いたノイズフィルタをＬＥＤ電球通電用機器の内部に設けた場合について記載したが、他の形態のノイズフィルタを同様に設けてもよい。独立したインダクタとして使用でき、かつＬＥＤ電球用アダプタや電球用ソケットの内部に収容できるノイズフィルタであれば、同様に使用することができる。
【００４６】
また、上記の例では、ＬＥＤ電球や電球用ソケット、ＬＥＤ電球用アダプタをエジソンベースに準拠した形態、すなわち、ＬＥＤ電球用アダプタの一端とＬＥＤ電球、ＬＥＤ電球用アダプタの他端と電球用ソケットとの間を、それぞれ螺合によって接続されるものとした。しかしながら、これらの接続を別の形態とした場合であっても、同様の効果を奏することは明らかである。
【符号の説明】
【００４７】
１０  ＬＥＤ電球用アダプタ（ＬＥＤ電球通電用機器）
１１  アダプタ凹部
１２  アダプタネジ部
１３  アダプタ凹部中心電極
１４  アダプタ口金
１５  アダプタ中心電極
４１、４２  ノイズフィルタ
５０  フェライトコア
６１、６２  配線
９０  電球用ソケット
９１  ソケット凹部
９２  ソケットネジ部
９３  ソケット中心電極
１００  ＬＥＤ電球
１０１  口金
１０２  中心電極
１０３  発光部
１９０  電球用ソケット（ＬＥＤ電球通電用機器）
２００  天井
３００  電源ケーブル
【図１】
2013058342.tif 000003
【図２】
2013058342.tif 000004
【図３】
2013058342.tif 000005
【図４】
2013058342.tif 000006
【図５】
2013058342.tif 000007
【図６】
2013058342.tif 000008
【図７】
2013058342.tif 000009
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
商用交流電源をＬＥＤ電球に供給するＬＥＤ電球通電用機器であって、
前記ＬＥＤ電球の中に設けられた電源回路と前記商用交流電源とを接続する配線を内部に具備し、
前記配線の経路中にノイズフィルタが設けられたことを特徴とするＬＥＤ電球通電用機器。
【請求項２】
前記ノイズフィルタは、トロイダル形状のフェライトコアに前記配線の一部が巻回されて構成されたことを特徴とする請求項１に記載のＬＥＤ電球通電用機器。
【請求項３】
複数の前記ノイズフィルタを具備し、
前記トロイダル形状の中心軸を共通にして複数の前記ノイズフィルタが積層された構成を内部に具備することを特徴とする請求項２に記載のＬＥＤ電球通電用機器。
【請求項４】
２本の前記配線、２つの前記ノイズフィルタをそれぞれ具備し、
２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、
２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、
ことを特徴とする請求項２又は３に記載のＬＥＤ電球通電用機器。
【請求項５】
前記ノイズフィルタは、周波数が９０ＭＨｚ〜２９０ＭＨｚの範囲の周波数成分の高周波を低減させることを特徴とする請求項１から請求項４までのいずれか１項に記載のＬＥＤ電球通電用機器。
【請求項６】
前記商用交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記商用交流電源と前記ＬＥＤ電球における電源回路との間が前記配線によって接続される構成を具備するＬＥＤ電球用アダプタであることを特徴とする請求項１から請求項５までのいずれか１項に記載のＬＥＤ電球通電用機器。
【請求項７】
前記一端と前記ＬＥＤ電球、及び前記他端と前記電球用ソケットとの間は、それぞれ螺合によって接続される構成を具備することを特徴とする請求項６に記載のＬＥＤ電球通電用機器。
【請求項８】
家屋に設置され、前記商用交流電源が接続された前記配線を内部に具備する電球用ソケットであることを特徴とする請求項１から請求項５までのいずれか１項に記載のＬＥＤ電球通電用機器。
【手続補正２】
【補正対象書類名】明細書
【補正対象項目名】００１５
【補正方法】変更
【補正の内容】
【００１５】
本発明は、上記課題を解決すべく、以下に掲げる構成とした。
本発明のＬＥＤ電球通電用機器は、商用交流電源をＬＥＤ電球に供給するＬＥＤ電球通電用機器であって、前記ＬＥＤ電球の中に設けられた電源回路と前記商用交流電源とを接続する配線を内部に具備し、前記配線の経路中にノイズフィルタが設けられたことを特徴とする。
本発明のＬＥＤ電球通電用機器において、前記ノイズフィルタは、トロイダル形状のフェライトコアに前記配線の一部が巻回されて構成されたことを特徴とする。
本発明のＬＥＤ電球通電用機器は、複数の前記ノイズフィルタを具備し、前記トロイダル形状の中心軸を共通にして複数の前記ノイズフィルタが積層された構成を内部に具備することを特徴とする。
本発明のＬＥＤ電球通電用機器は、２本の前記配線、２つの前記ノイズフィルタをそれぞれ具備し、２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、ことを特徴とする。
本発明のＬＥＤ電球通電用機器において、前記ノイズフィルタは、周波数が９０ＭＨｚ〜２９０ＭＨｚの範囲の周波数成分の高周波を低減させることを特徴とする。
本発明のＬＥＤ電球通電用機器は、前記商用交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記商用交流電源と前記ＬＥＤ電球における電源回路との間が前記配線によって接続される構成を具備するＬＥＤ電球用アダプタであることを特徴とする。
本発明のＬＥＤ電球通電用機器において、前記一端と前記ＬＥＤ電球、及び前記他端と前記電球用ソケットとの間は、それぞれ螺合によって接続される構成を具備することを特徴とする。
本発明のＬＥＤ電球通電用機器は、家屋に設置され、前記商用交流電源が接続された前記配線を内部に具備する電球用ソケットであることを特徴とする。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
商用交流電源をＬＥＤ電球に供給し、前記ＬＥＤ電球の中に設けられた電源回路と前記商用交流電源とを接続する２本の配線を内部に具備し、２本の前記配線の経路中に、トロイダル形状のフェライトコアに前記配線の一部が巻回されて構成された２つのノイズフィルタが設けられたＬＥＤ電球通電用機器であって、
２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、
２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、
ことを特徴とするＬＥＤ電球通電用機器。
【請求項２】
前記トロイダル形状の中心軸を共通にして２つの前記ノイズフィルタが積層された構成を内部に具備することを特徴とする請求項１に記載のＬＥＤ電球通電用機器。
【請求項３】
前記ノイズフィルタは、周波数が９０ＭＨｚ〜２９０ＭＨｚの範囲の周波数成分の高周波を低減させることを特徴とする請求項１又は２に記載のＬＥＤ電球通電用機器。
【請求項４】
前記商用交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記商用交流電源と前記ＬＥＤ電球における電源回路との間が前記配線によって接続される構成を具備するＬＥＤ電球用アダプタであることを特徴とする請求項１から請求項３までのいずれか１項に記載のＬＥＤ電球通電用機器。
【請求項５】
前記一端と前記ＬＥＤ電球、及び前記他端と前記電球用ソケットとの間は、それぞれ螺合によって接続される構成を具備することを特徴とする請求項４に記載のＬＥＤ電球通電用機器。
【請求項６】
家屋に設置され、前記商用交流電源が接続された前記配線を内部に具備する電球用ソケットであることを特徴とする請求項１から請求項３までのいずれか１項に記載のＬＥＤ電球通電用機器。
【手続補正２】
【補正対象書類名】明細書
【補正対象項目名】００１５
【補正方法】変更
【補正の内容】
【００１５】
本発明は、上記課題を解決すべく、以下に掲げる構成とした。
本発明のＬＥＤ電球通電用機器は、商用交流電源をＬＥＤ電球に供給し、前記ＬＥＤ電球の中に設けられた電源回路と前記商用交流電源とを接続する２本の配線を内部に具備し、２本の前記配線の経路中に、トロイダル形状のフェライトコアに前記配線の一部が巻回されて構成された２つのノイズフィルタが設けられたＬＥＤ電球通電用機器であって、２つの前記ノイズフィルタのうちの一方のノイズフィルタにおいては、２本の前記配線のうちの一方の配線が前記フェライトコアを巻回する方向と、２本の前記配線のうちの他方の配線が前記フェライトコアを巻回する方向と、が互いに同じ向きとなるように、２本の前記配線が前記フェライトコアを巻回し、２つの前記ノイズフィルタのうちの他方のノイズフィルタにおいては、２本の前記配線のうちの一方の配線が前記フェライトコアを巻回する方向と、２本の前記配線のうちの他方の配線が前記フェライトコアを巻回する方向と、が互いに逆向きとなるように、２本の前記配線が前記フェライトコアを巻回する、ことを特徴とする。
本発明のＬＥＤ電球通電用機器は、前記トロイダル形状の中心軸を共通にして２つの前記ノイズフィルタが積層された構成を内部に具備することを特徴とする。
本発明のＬＥＤ電球通電用機器において、前記ノイズフィルタは、周波数が９０ＭＨｚ〜２９０ＭＨｚの範囲の周波数成分の高周波を低減させることを特徴とする。
本発明のＬＥＤ電球通電用機器は、前記商用交流電源が接続され家屋に設置された電球用ソケットと、前記ＬＥＤ電球との間に挿入されて用いられ、一端が前記ＬＥＤ電球に、他端が前記電球用ソケットに、それぞれ接続されることによって、前記商用交流電源と前記ＬＥＤ電球における電源回路との間が前記配線によって接続される構成を具備するＬＥＤ電球用アダプタであることを特徴とする。
本発明のＬＥＤ電球通電用機器において、前記一端と前記ＬＥＤ電球、及び前記他端と前記電球用ソケットとの間は、それぞれ螺合によって接続される構成を具備することを特徴とする。
本発明のＬＥＤ電球通電用機器は、家屋に設置され、前記商用交流電源が接続された前記配線を内部に具備する電球用ソケットであることを特徴とする。